(57)【特許請求の範囲】
【請求項１】
基板に実装される電気コネクタであって、
複数のコンタクトと該コンタクトを固定・配列するハウジングとを有するコネクタ本体と、該コネクタ本体を覆い、相手物との嵌合口と基板に実装する複数の端子部とを有し、２分割されたシェルとを具える電気コネクタにおいて、
一方のシェルを略筐体にするとともに嵌合口側の前記シェルを一体構造にし、嵌合口の反対側に、前記ハウジングが入る大きさでコネクタ本体の基板への装着状態を確認できる開口部を上面及び背面に有し、もう一方のシェルを略Ｌ字形状にし、前記一方のシェルの上面及び背面の開口部に装着するように配置し、前記一方のシェルの長さを上面の前記開口部の１．５〜３．０倍にし、前記コネクタ本体と前記一方のシェルを基板に装着し、前記コネクタ本体と前記一方のシェルとを基板へ同時に実装できることを特徴とする電気コネクタ。
【請求項２】
上面の前記開口部を前記ハウジングの長さの１．５〜２．０倍にすることを特徴とする請求項１記載の電気コネクタ。
【発明の詳細な説明】
【０００１】
【発明の属する技術分野】
本発明は、ファイバチャンネルやギガビットイーサネット（登録商標）等に使用される電気コネクタに関するものであり、特に遮蔽効果を有するシェルの分割構造に関するものである。
【０００２】
【従来の技術】
遮蔽効果を持たせるシェルを２分割したものは、下記に示すような文献を挙げることができる。電気コネクタはＳｍａｌｌ Ｆｏｒｍ Ｆａｃｔｏｒ Ｐｌｕｇｇａｂｌｅ（ＳＦＰ）規格に示されている。該電気コネクタは、主に複数のコンタクト１４とハウジング１２とシェル１６、１８とを具えている。図３のように、一方のシェル１６には底面側に基板４０に実装するための端子部３２が設けられ、嵌合部側は略板状の形成され、嵌合部と反対側の底面側にはコネクタ本体２０を逃げる逃げ部４２が形成されている。図３のように、もう一方のシェル１８は全体的に略コ字形状に形成されているが、嵌合部側の略コ字形状は底面まで達し、それ以外の部分は厚み方向のほぼ半分までであり、嵌合部側と反対の背面側は折り返され底面まで達し、その先端には基板に実装するための複数の端子部３２が設けられている。２つのシェルが係合した際に略筐体形状になり、前記ハウジング１２に複数のコンタクト１４が装着されたコネクタ本体２０を逃げる逃げ部４２が形成されている。
【０００３】
特許文献１の特開平７−２７２７９７号の要約によると、一方向のみに動かすだけでシェルに装着できるコネクタ用ロック片１０を提供することを目的としたものであり、コネクタ用ロック片１０は主に係止部・係合部１６，１４とつまみ部１２から構成され、係合部１４につまみ部１２側の幅方向の中央部付近に凸部２０と、この凸部２０の幅方向の両側に２枚の板状片１８とを設ける構造にし、この板状片１８は自由端が前記凸部２０側に向いたバネ性を有する片持ばりであり、この自由端同士の間隔が前記シェルの突起部３２の幅より狭くしたものが開示されている。この文献１の図１や図４には上下２分割されたシェルが開示され、図４のように補強の意味で結合したシェルをフードで覆うこともされている。
【０００４】
特許文献２の特開平９−２０４９５５号の要約によると、ケーブル３２が変形し、特性インピーダンスが乱れることなく、確実にシェルとケーブル編組との導通が容易にとれる端末処理構造の電気コネクタ１０を提供することを目的とし、ケーブル端部の外被外側にフェルールＢ２８を嵌着し、前記フェルールＢ２８の外側の一部にケーブル３２の編組３４を折り返し、前記編組３４の折返し部の外側にフェルールＡ２６を嵌着し、外側からカシメると共に、前記フェルールＢ２８のケーブル３２の編組３４の折返し部がない部分の外側に前記コネクタの結線側に設けたシェルの突出部を配置し、前記シェルの突出部の外側にフェルールＣ３０を嵌着し、外側からカシメてなる結線部を有するものが開示されている。この文献２の図２や図３には上下２分割されたシェルが開示され、図２や図３のように補強の意味で結合したシェルをフードで覆うこともされている。
【０００５】
特許文献３の特開平１０−２２８９４４号の要約によると、樹脂成形体のボデー本体、これに組み込まれた複数の金属製コンタクト、ボデー本体の一方の外側に被覆される概略Ｕ字形の分割メインシエル、ボデー本体の他方の外側に被覆される概略Ｕ字形の分割サブシエルとからなる電気コネクタを提供せんとすることを目的とし、樹脂成形体のボデー本体１００、これに組み込まれた複数の金属製コンタクト、ボデー本体の一方の外側に被覆される概略Ｕ字形の分割メインシエル３００、ボデー本体の他方の外側に被覆される概略Ｕ字形の分割サブシエル４００とからなる電気コネクタにあり、上記ボデー本体１００、分割メインシエル３００及び分割サブシエル４００の簡略化を図ったものが開示されている。この文献３の図１には上下２分割されたシェルが開示されている。
【０００６】
【発明が解決しようとする課題】
上述したような構造の２分割されたシェルでは、相手コネクタが嵌合した際に、相手コネクタが斜めに差し込まれたりして、こじられた場合にシェルの厚みが薄く、かつ、２分割されているため嵌合側が変形してしまうといった問題点があった。シェルの嵌合側が変形してしまうと、シェル自体の交換や最悪は基板自体を交換する必要が生じ、引いてはコストアップに繋がってしまう結果になる。
また、嵌合側の強度を上げるために厚さ厚くすることは、コストアップになってしまい、シェルを２分割でなく一体構造にしたのでは、前記コネクタと前記シェルの同時実装ができなくなってしまう。
【０００７】
本発明は、このような従来の問題点に鑑みてなされたもので、相手コネクタの嵌合時のこじりでもシェルが変形することなく、破壊されることがなく、コネクタ本体２０と同時実装可能なシェルの構造を有する電気コネクタを提供するものである。
【０００８】
【課題を解決するための手段】
上記目的は、基板に実装される電気コネクタ１０であって、複数のコンタクト１４と該コンタクト１４を固定・配列するハウジング１２とを有するコネクタ本体２０と、該コネクタ本体２０を覆い、相手物との嵌合口２２と基板４０に実装する複数の端子部３２とを有し、２分割されたシェル１６、１８とを具える電気コネクタ１０において、一方のシェル１６を略筐体にするとともに嵌合口２２側の前記シェル１６を一体構造にし、嵌合口２２の反対側に、前記ハウジング１２が入る大きさでコネクタ本体２０の基板への装着状態を確認できる開口部２３を上面及び背面に有し、もう一方のシェル１８を略Ｌ字形状にし、前記一方のシェル１６の上面及び背面の開口部２３に装着するように配置し、前記一方のシェル１６の長さを上面の前記開口部２３の１．５〜３．０倍にし、前記コネクタ本体２０と前記一方のシェル１６を基板４０に装着し、前記コネクタ本体２０と前記一方のシェル１６とを基板４０へ同時に実装できることを特徴とする電気コネクタ。
【０００９】
上面の前記開口部２３を前記ハウジング１２の長さの１．５〜２．０倍にする。１．５以下では、コネクタ本体２０（前記ハウジング１２に前記コンタクト１４が固定・配列された状態のもの）の再実装ができなく、かつ、一方のシェルと同時に実装できなく、コネクタ本体２０の半田付けの確認ができない。また、２．０以上では一方のシェル１６の強度の低下に繋がってしまう。
【００１０】
【発明の実施の形態】
図に基づいて、本発明の電気コネクタ１０について説明する。
図１は、もう一方のシェルを外した状態の本発明の電気コネクタを基板に実装した状態のものと、もう一方のシェルとの斜視図である。図２は、一方のシェルと、もう一方のシェルと、コネクタ本体を基板に実装した状態のものの斜視図である。図１に示した、ｘ方向が長さ方向で、ｙ方向が幅方向で、Ｚ方向が高さ方向という。
本発明の電気コネクタ１０は、主にハウジング１２と複数のコンタクト１４と２つのシェル１６、１８を具えている。前記ハウジング１２に複数の前記コンタクト１４が固定・配列された状態のものをコネクタ本体２０という。（以下、同様。）
【００１１】
図に基づいて本発明の電気コネクタ１０の構成部品について説明する。
まず、本発明のポイントである２つのシェル１６、１８について説明する。
２つのシェル１６、１８は金属製であり、公知技術のプレス加工によって製作され、材質としては、バネ性や加工性などを考慮すると、黄銅やベリリウム銅やリン青銅等を挙げることができる。２つの前記シェル１６、１８の役割は、２つのシェル１６、１８同士が係合することで複数のコンタクト１４が挿入されたハウジング１２を覆うことで、遮蔽効果や相手物嵌合時の誘い等を持たせることである。以下で各々のシェルについて説明する。
【００１２】
図１のように、一方のシェル１６は略筐体形状をし、基板実装側（底面２６側）には基板４０に実装するための複数の端子部３２が設けられている。前記端子部３２の数や位置は基板４０の仕様や基板４０への実装強度等により適宜設計される。一方の前記シェル１６の嵌合側は一体構造に形成されており、板状片を抜き加工をし、その後曲げ加工をし、部分的に引っ掛けや嵌め合わせによって、略筐体形状に形成することで嵌合側を一体構造にし、嵌合口２２を形成している。前記嵌合口２２の反対側には、前記ハウジング１２（前記コンタクト１４が装着された状態）が入る大きさの開口部２３が設けられている。前記開口部２３は、前記ハウジング１２（前記コンタクト１４が装着された状態）を挿入し、前記一方のシェル１６と前記ハウジング１２（前記コンタクト１４が装着された状態）とを同時に実装するためのものであり、前記開口部２３を前記ハウジング１２の長さ（図１のｘ方向）の１．５〜２．０倍にしている。１．５以下では、コネクタ本体２０（前記ハウジング１２に前記コンタクト１４が固定・配列された状態のもの）の再実装ができなく、かつ、一方のシェル１６と同時に実装できなく、コネクタ本体２０の半田付けの確認ができない。また、２．０以上では一方のシェル１６の強度の低下に繋がってしまう。前記開口部２３側の両方の側面２８にはもう一方のシェル１８と係合する略Ｌ字形状をした係合部材３４が設けられている。前記係合部材３４（前記開口部２３）と一体部分との長さの比は０．７５〜１．５にしている。前記係合部材３４の底面２６側にも、基板実装のための端子部３２が設けられている。また、前記係合部材３４には所定の位置にもう一方の前記シェル１８と係合するための所要数の係合部３６が設けられている。
【００１３】
次に、もう一方のシェル１８について説明する。もう一方のシェル１８は図１のように略Ｌ字形状をしており、折り返された背面３０側の自由端には基板４０へ実装するための複数の端子部３２が設けられている。また、上面２４側部分は一方のシェルの前記係合部材３４とラップするように折り返され、ラップする部分には前記係合部３６に対応した位置に係止部３８が設けられている。もう一方のシェル１８は、図１のように矢印「イ」方向に一方のシェル１６の開口部２３に装着される。本実施例では、前記係合部３６と前記係止部３８は、引っ掛け（ランス）構造によって固定されているが、半田付けや溶接などであってもよい。
【００１４】
一方のシェル１６ともう一方のシェル１８とが、係合された際の長手方向の長さの比は、１．５〜３．０にしている。言い換えれば、一方のシェル１６と前記開口部２３との長さの比は、１．５〜３．０にしている。１．５以下では、シェル１６、１８の変形を防ぐことができなく、３．０以上では規格でシェルの長さが決まっている場合に一方のシェル１６の強度の低下に繋がってしまう。
【００１５】
次に、前記ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１６】
前記ハウジング１２には、前記コンタクト１４が装着される挿入孔が所要数だけ設けられており、圧入や引っ掛け（ランス）や溶着等によって固定されている。
【００１７】
最後に、コンタクト１４について説明する。前記コンタクト１４は金属製であり、公知技術のプレス加工によって作成され、バネ性などを考慮すると、黄銅やベリリウム銅やリン青銅等を挙げることができる。前記コンタクト１４は主に相手物（基板）と接触する接触部と前記ハウジング１２に固定される固定部と基板４０に接続される接続部とを具えている。前記接続部の形状としては、表面実装タイプ（ＳＭＴ）でも、ディップタイプでもよく、仕様等によって適宜設計する。
【００１８】
【発明の効果】
以上の説明から明らかなように、本発明のコネクタ１０によると、次のような優れた効果が得られる。
（１）基板４０に実装される電気コネクタ１０であって、複数のコンタクト１４と、該コンタクト１４を固定・配列するハウジング１２と、該ハウジング１２を覆い、相手物との嵌合口２２と基板４０に実装する複数の端子部３２とを有し、２分割されたシェル１６、１８とを具える電気コネクタ１０において、一方のシェル１６を略筐体にするとともに嵌合口２２側の前記シェル１６を一体構造にし、嵌合口２２の反対側に前記ハウジング１２が入る大きさの開口部２３を有し、もう一方のシェル１８を略Ｌ字形状にし、前記一方のシェル１６の開口部２３に装着するように配置しているので、相手物の嵌合時のこじりでもシェル１６、１８が変形することなく、嵌め合わせの容易なシェル１６、１８の構造を提供できる。
（２）シェル１６、１８が変形することがないので、シェル１６、１８や基板４０等を交換することがないため、コストアップに繋がらない。
（３）前記開口部２３を前記ハウジング１２の長さの１．５〜２．０倍にしているので、前記ハウジング１２が挿入し易く、かつ、一方のシェル１６と同時に実装できる。
（４）一方のシェル１６の長さを、前記開口部２３の１．５〜３．０にしているので、確実にシェル１６、１８の変形を防ぐことができ、前記ハウジング１２（前記コンタクト１が装着された状態）と前記一方のシェル１６とを同時に実装でき、接続不良の原因にならないようにすることができる。
（５）一方のシェル１６と前記コンタクト１４が固定・配列されたハウジング１２とを基板に同時に実装できるようにしているので、相手物の嵌合時のこじりでもシェル１６、１８が変形することなく、工数の削減ができる。
【図面の簡単な説明】
【図１】  もう一方のシェルを外した状態の本発明の電気コネクタを基板に実装した状態のものと、もう一方のシェルとの斜視図である。
【図２】  一方のシェルと、もう一方のシェルと、コネクタ本体を基板に実装した状態のものの斜視図である。
【図３】  もう一方のシェルを外した状態の従来の電気コネクタを基板に実装した状態のものと、もう一方のシェルとの斜視図である。
【符号の説明】
１０  電気コネクタ
１２  ハウジング
１４  コンタクト
１６  一方のシェル
１８  もう一方のシェル
２０  コネクタ本体
２２  嵌合口
２３  開口部
２４  上面
２６  底面
２８  側面
３０  背面
３２  端子部
３４  係合部材
３６  係合部
３８  係止部
４０  基板
４２  逃げ部
【図１】
0004705749.tif 000002
【図２】
0004705749.tif 000003
【図３】
0004705749.tif 000004